(57)【要約】【課題】  トラッキング信号のＳ／Ｎとウォブル信号のＣ／Ｎとを両立させるとともに、高密度の情報記録を可能とした情報記録担体およびその駆動装置を提供する。【解決手段】  チャネルビットで示されるマークの長さによって表される情報ブロックを記録するための情報トラックであるサーボトラックを有する光ディスク１であって、サーボトラックは、位置情報を符号化するためのウォブルの周期的変化に変調が施された部分を含み、位置情報の符号化が、ＢＰＳＫが施されたword syncに続いてＱＰＳＫが施されたbit sync及びnit dataを存在させることによってなされた。【選択図】  図６
2006179121.tif 000002
【特許請求の範囲】
【請求項１】
チャネルビットで示されるマークの長さによって表される情報ブロックを記録するための情報トラックであるサーボトラックを有する情報記録担体であって、
前記サーボトラックは、記録担体情報を符号化するための物理パラメータの周期的変化に変調が施された部分を含み、
前記記録担体情報の符号化が、第１の位相変調が施された部分に続いて前記第１の位相変調とは異なる位相変調が施されたデータビットの部分を存在させることによってなされたことを特徴とする情報記録担体。
【請求項２】
前記サーボトラックは、前記位相変調が施された部分と、前記位相変調が施されていない部分とで構成されていることを特徴とする請求項１記載の情報記録担体。
【請求項３】
前記記録担体情報が符号化された部分は、同期部とデータ部とを有し、これらがそれぞれ異なる方式で位相変調されたことを特徴とする請求項１又は２記載の情報記録担体。
【請求項４】
情報トラックであるサーボトラックを有する情報記録担体上の前記サーボトラック内にチャネルビットで表された情報ブロックを読み出す手段及び前記情報ブロックを書き込む手段の少なくとも一方を有する情報記録担体駆動装置であって、
前記サーボトラックを走査することにより該サーボトラックの周期的変化の変調で符号化された記録担体情報を取り出す手段と、
位相変調の変化を検出して、バイフェーズ変調が施されて記録されている前記記録担体情報の同期部を見つけ出し、該同期部の後にＱＰＳＫが施されて記録されている記録担体情報のデータビットを取り出すＢＰＳＫ／ＱＰＳＫ復調手段を有することを特徴とする情報記録担体駆動装置。
【請求項５】
前記ＢＰＳＫ／ＱＰＳＫ復調手段は、変調されていない周期的変化の位相と逆の位相の少なくとも一つの変化を有するバイフェーズ変調を施されている前記同期部に同期し、前記サーボトラックは、前記バイフェーズ変調されている前記同期部とＱＰＳＫ変調されている前記データビットと前記変調が施されていない周期的変化を有する部分とに副分割されていることを特徴とする請求項４記載の情報記録担体駆動装置。
【請求項６】
前記記録担体情報のワードからの複数の前記データビットからトラックの部分のアドレスを検出するためのアドレス検出手段を有し、前記同期部は、前記記録担体情報を示すための変調されていない周期的変化の位相と逆の位相の変化を有することを特徴とする請求項５記載の情報記録担体駆動装置。
【発明の詳細な説明】
【技術分野】
【０００１】
本発明は、情報記録担体及びこれに対する情報の記録又は再生の少なくとも一方を行う情報記録担体駆動装置に関する。
【背景技術】
【０００２】
近年大容量の記録媒体として光ディスク装置が開発されている。これらの代表的なものはＣＤやＤＶＤである。また、現在では、デジタルデータを書き換え可能としたＣＤやＤＶＤも実用化されている。
【０００３】
光ディスクの回転制御方式としては、アクセス速度を重視して角速度を一定としたＣＡＶ方式と、記録容量を重視して線速度を一定としたＣＬＶ方式とがある。
【０００４】
最初に普及した光記録媒体であるＣＤは、音楽再生が当初の目的であったため、ＣＬＶ方式が採用されており、螺旋形のトラックが一定の線速度で光学走査される。
【０００５】
これらの光ディスク媒体は、トラックをウォブリングさせてアドレス情報を記録しているため、このアドレス情報を記録するためにトラックの記録エリアを使用する必要がなく、トラックの記録エリアをフルに利用することができる。
【０００６】
しかし、このような光ディスク媒体でも、長時間の画像データを高品質に記録することはできず、さらなる記憶容量の拡大が要望されている。これには、トラックを高密度に配列すると、トラックを光学検出するレーザスポットに隣接するトラックが干渉し、トラッキング信号のＳ／Ｎが低下するためである。
【０００７】
これを解消する手法としては、トラックのウォブリングの振幅も配列ピッチに比例させて圧縮することが考えられる。しかし、この手法を採用すると、一つの情報当たりのエネルギー量が小さくなるため、ウォブル信号のＣ／Ｎが低下してアドレス情報の復元精度が低下する。
すなわち、現在の光ディスク媒体においては、連続信号であるトラッキング信号のＳ／Ｎと離散信号であるウォブル信号のＣ／Ｎとを両立させて、トラックの配列を高密度化して記憶容量を増やすことは困難である。
【０００８】
特許文献１や特許文献２に開示される発明は、ウォブリングの方式にバイフェーズ変調を用いることで、Ｃ／Ｎの確保を図っている。
【特許文献１】特表２００２−５３５８０１号公報
【特許文献２】特開平１０−６９６４６号公報
【発明の開示】
【発明が解決しようとする課題】
【０００９】
近年、日本国内において地上波デジタルテレビ放送のサービスが開始されるなどしており、光ディスクには高品質（高画質）の映像をより長時間分記録することが要求されている。換言すると、光ディスクに対してより高密度の情報記録を可能とすることが求められている。
特許文献１や特許文献２に開示される発明は、この要求を十分に満たすとは言えない。
【００１０】
本発明は係る問題に鑑みてなされたものであり、トラッキング信号のＳ／Ｎとウォブル信号のＣ／Ｎとを両立させるとともに、高密度の情報記録を可能とした情報記録担体およびその駆動装置を提供することを目的とする。
【課題を解決するための手段】
【００１１】
上記目的を達成するため、本発明は、第１の態様として、チャネルビットで示されるマークの長さによって表される情報ブロックを記録するための情報トラックであるサーボトラックを有する情報記録担体であって、サーボトラックは、記録担体情報を符号化するための物理パラメータの周期的変化に変調が施された部分を含み、記録担体情報の符号化が、第１の位相変調が施された部分に続いて第１の位相変調とは異なる位相変調が施されたデータビットの部分を存在させることによってなされたことを特徴とする情報記録担体を提供するものである。記録担体上の位置情報を位相変化で符号化することで、記録担体の情報記録容量をより高められる。
【００１２】
本発明の第１の態様においては、サーボトラックは、位相変調が施された部分と、位相変調が施されていない部分とで構成されていることが好ましい。無変調部分を設けることにより、基準となる信号を記録担体から取得できるようになり、位相比較のための基準信号を容易に得られる。
また、記録担体情報が符号化された部分は、同期部とデータ部とを有し、これらがそれぞれ異なる方式で位相変調されることが好ましい。同じチャンネルビット長であれば、従来のバイフェーズ変調より多くの情報を符号化できる変調方式を用いれば、記録担体の情報記録容量をより高められる。
【００１３】
また、上記目的を達成するため、本発明は、第２の態様として、情報トラックであるサーボトラックを有する情報記録担体上のサーボトラック内にチャネルビットで表された情報ブロックを読み出す手段及び情報ブロックを書き込む手段の少なくとも一方を有する情報記録担体駆動装置であって、サーボトラックを走査することにより該サーボトラックの周期的変化の変調で符号化された記録担体情報を取り出す手段と、位相変調の変化を検出して、バイフェーズ変調が施されて記録されている記録担体情報の同期部を見つけ出し、該同期部の後にＱＰＳＫが施されて記録されている記録担体情報のデータビットを取り出すＢＰＳＫ／ＱＰＳＫ復調手段を有することを特徴とする情報記録担体駆動装置を提供するものである。
【００１４】
本発明の第２の態様においては、ＢＰＳＫ／ＱＰＳＫ復調手段は、変調されていない周期的変化の位相と逆の位相の少なくとも一つの変化を有するバイフェーズ変調を施されている同期部に同期し、サーボトラックは、バイフェーズ変調されている同期部とＱＰＳＫ変調されているデータビットと変調が施されていない周期的変化を有する部分とに副分割されていることが好ましい。これにより、位相変調の違いを検出して同期をとることが可能となる。
これに加えて、記録担体情報のワードからの複数のデータビットからトラックの部分のアドレスを検出するためのアドレス検出手段を有し、同期部は、記録担体情報を示すための変調されていない周期的変化の位相と逆の位相の変化を有することがより好ましい。このようにすれば、無変調部分を利用して位相比較を行い、位置情報を取得できる。
【発明の効果】
【００１５】
本発明によれば、トラッキング信号のＳ／Ｎとウォブル信号のＣ／Ｎとを両立させるとともに、高密度の情報記録を可能とした情報記録担体およびその駆動装置を提供できる。
【発明を実施するための最良の形態】
【００１６】
〔発明の原理〕
図１に、本実施形態に係る光ディスクの構成を示す。光ディスク１は、螺旋状に連続してトラックが形成された光ディスクである。従来の光ディスクでは、その位置情報は図２に示すようにバイフェーズ変調で構成されていたが、本実施形態の光ディスク１では、図３に示すようにバイフェーズ変調とＱＰＳＫとの組み合わせで構成する。なお、ＱＰＳＫの後に無変調のデータを配置してもよい。
このような構成とすることにより、トラッキング信号のＳ／Ｎとウォブル信号のＣ／Ｎとを両立させるとともに、高密度の情報記録が可能となる。
以下、上記原理に基づく本発明の好適な実施の形態について説明する。
【００１７】
〔発明の実施の形態〕
図４に、光ディスク１に埋め込まれている位置情報を示す。この位置情報は、ＤＶＤ＋Ｒ／ＲＷと同様の論理構成である。図に示すword syncが位置情報のヘッダとなり、bit syncでビット情報の同期をとるように光ディスク１上に配置されている。Bit syncの後に続くbit dataを次のword syncまでまとめるとアドレス情報が構成される。
【００１８】
これら（word sync、bit sync、bit data）は、図５に示すように従来はバイフェーズ変調されて光ディスクに埋め込まれていたものであるが、本実施形態においては、図６に示すように、word syncのみがバイフェーズ変調で埋め込まれ、bit syncとbit dataとはＱＰＳＫで光ディスク１に埋め込まれている。word syncは、位置情報の先頭を検出するために重要なデータであるため、Ｓ／Ｎを高くする必要がある。このため、word syncは、比較的容易にＳ／Ｎを確保できるバイフェーズ変調で光ディスク１に埋め込んでいる。
【００１９】
バイフェーズ変調は、基準信号に対して位相が０°又は１８０°ずれている状態に意味を持たせてデータを埋め込む変調方式である。図７に、バイフェーズ変調のシンボルマップの一例を示す。図７においては、位相差が０°の時に「０」、位相差が１８０°の時に「１」を割り当てている。
図８にＱＰＳＫのシンボルマップの一例を示す。ＱＰＳＫは、基準信号に対して位相差が９０°づつずれている状態（図８においては、４５°、１３５°、２２５°、３１５°）に意味を持たせ、データを埋め込む。よって、同じチャネルビット長であれば、バイフェーズ変調と比較して２倍の情報量を埋め込むことができる。
【００２０】
図９に、光ディスク１に埋め込まれた位置情報を検出する装置の構成を示す。光ディスク１から得られるウォブル信号は、直交検波部２によって虚軸／実軸信号に分離する。これらの信号は、直交検波の際に重畳した高調波をＬＰＦ３ａ、３ｂを通すことで除去した上でＢＰＳＫ／ＱＰＳＫシンボルデコーダ５へ入力され、０又は１のデジタルデータに変換される。また、位相比較器４ではバイフェーズ変調であるかＱＰＳＫであるかを位相情報から判断し、ＢＰＳＫ／ＱＰＳＫシンボルデコーダ５の動作を切り換える。
【００２１】
図１０に、光ディスク１を駆動する装置（光ディスクドライブ）の構成を示す。図に示すように、光ディスクドライブは、ディスクを回転させるモータ１１、光ピックアップをディスクの半径方向へ移動するピックアップモータ１５、光ピックアップ１３、各部の制御系（回転制御系１２、ピックアップモータ制御系１６、ピックアップ制御系１４、信号処理系１７、コントローラ１９）から構成される。
コントローラ１９は、データ再生時には、再生パワーで光ピックアップ１３がレーザ光を発光するようにピックアップ制御系１４を制御し、光ディスク１からの反射光を光ピックアップ１３を介して信号処理系１７へ入力して電気信号に変換し、電気信号によるデータをバッファメモリ１８に記録し、不図示のデータ処理系へ送ってデータを再生する。
データ記録時には、コントローラ１９は、光ピックアップ１３が記録パワーでレーザ光を発光するようにピックアップ制御部１４を制御するとともに、バッファメモリ１８に保存されているデジタルデータに応じて光ピックアップ１３がレーザ光を発光・停止するように信号処理系１７を制御し、メディア（光ディスク１）上にデータを記録する。
【００２２】
なお、上記実施形態は本発明の好適な実施の一例であり、本発明はこれに限定されることはない。
例えば、上記実施形態においては、データビット部の変調方式をＱＰＳＫとしたが、８相ＰＳＫや８相トレリスなどの変調方式を用いても構わない。
また、上記実施形態においては、位置情報の論理構成がＤＶＤ＋Ｒ／ＲＷと同様である場合を例としたが、位置情報の論理構成はこれに限定されることはない。
このように、本発明は様々な変形が可能である。
【図面の簡単な説明】
【００２３】
【図１】本発明の好適に実施した光ディスクの構成を示す図である。
【図２】従来の光ディスクに埋め込まれている位置情報とその変調方式とを表す図である。
【図３】本発明を好適に実施した光ディスクに埋め込まれている位置情報と変調方式との関係を示す図である。
【図４】本発明を好適に実施した光ディスク上の記録フォーマットとデータ構成とを示す図である。
【図５】従来の光ディスク（ＤＶＤ＋Ｒ／ＲＷ）のアドレスとバイフェーズ変調との関係を示す図である。
【図６】本発明を好適に実施した光ディスクのアドレスと変調方式との関係を示す図である。
【図７】バイフェーズ変調のシンボルマップを示す図である。
【図８】ＱＰＳＫのシンボルマップを示す図である。
【図９】バイフェーズ変調／ＱＰＳＫ検出器の構成を示す図である。
【図１０】光ディスク駆動装置の構成を示す図である。
【符号の説明】
【００２４】
１    光ディスク
２    直交検波部
３ａ、３ｂ    ローパスフィルタ（ＬＰＦ）
４    位相比較器
５    ＢＰＳＫ／ＱＰＳＫシンボルデコーダ
【図１】
2006179121.tif 000003
【図２】
2006179121.tif 000004
【図３】
2006179121.tif 000005
【図４】
2006179121.tif 000006
【図５】
2006179121.tif 000007
【図６】
2006179121.tif 000008
【図７】
2006179121.tif 000009
【図８】
2006179121.tif 000010
【図９】
2006179121.tif 000011
【図１０】
2006179121.tif 000012